(57)【要約】【課題】牛乳等の購買意欲の増進と、青汁製品である大麦若葉粉末の宣伝効果が向上するパック容器を提供する。【解決手段】青汁製品である大麦若葉粉末が密封された扁平状の密閉袋を、透明なビニール袋２内に入れ、ビニール袋２は、内部に牛乳が充填されているパック容器１の縦壁部１ａに沿って貼り付けられる。ビニール袋２内には大麦若葉粉末の宣伝用のパンフレット等も同封されている。【選択図】図１
0003166612.tif 000002
【実用新案登録請求の範囲】
【請求項１】
パック容器の外側に、青汁製品を付設したことを特徴とするパック容器。
【請求項２】
パック容器の外側に、青汁製品である大麦若葉粉末を付設したことを特徴とする請求項１に記載のパック容器。
【請求項３】
前記大麦若葉粉末は略扁平状の袋内に密封されていることを特徴とする請求項２に記載のパック容器。
【請求項４】
前記大麦若葉粉末を入れた袋を１以上透明なビニール袋に入れ、該ビニール袋を前記パック容器に貼り付けたことを特徴とする請求項３に記載のパック容器。
【請求項５】
前記ビニール袋内には、大麦若葉粉末の宣伝用のパンフレット等の文章が同封されていることを特徴とする請求項４に記載のパック容器。
【請求項６】
前記パック容器は、牛乳を入れた牛乳パックである請求項１乃至請求項５何れかに記載のパック容器。
【考案の詳細な説明】
【技術分野】
【０００１】
本考案は、パック容器に関するものである。
【背景技術】
【０００２】
従来、牛乳等の飲料が充填されているパック容器として、特許文献１に開示されているようなものがある。
【先行技術文献】
【特許文献】
【０００３】
【特許文献１】特開２００５−２９２０２号公報
【考案の概要】
【考案が解決しようとする課題】
【０００４】
従来の牛乳等の飲料が充填されているパック容器では、需要者の購買意欲を増進させたり、青汁製品の宣伝を兼ねることはできないという問題点があった。
【課題を解決するための手段】
【０００５】
本考案は、購買意欲を増進させることができ、かつ青汁製品の宣伝効果が得られるパック容器の提供を目的とし、この目的の少なくとも一部を達成するために以下の手段を採った。
本考案は、パック容器の外側に、青汁製品を付設したことを要旨とする。
【考案の効果】
【０００６】
本考案のパック容器では、パック容器の外側に青汁製品を付設したことで、需要者の購買意欲を増進させることができ、また、青汁製品の宣伝効果が得られるものとなる。
【０００７】
また、本考案のパック容器において、パック容器の外側に、青汁製品である大麦若葉粉末を付設したこととすることもできる。
こうすれば、大麦若葉粉末による青汁を作り、良好に試飲することができるものとなる。
【０００８】
また、本考案のパック容器において、前記大麦若葉粉末は略扁平状の袋内に密封されているものとすることもできる。
こうすれば、大麦若葉粉末は袋内に密閉されているため、この袋を開封して大麦若葉粉末を取り出し、パック容器内に充填されている牛乳等を混ぜて、大麦若葉粉末による青汁を作り、良好に試飲することができるものとなる。
【０００９】
また、本考案のパック容器において、前記大麦若葉粉末を入れた袋を１以上透明なビニール袋に入れ、該ビニール袋を前記パック容器に貼り付けたものとすることもできる。
こうすれば、透明なビニール袋をパック容器に貼り付けて、後発的に、ビニール袋に入れた状態で大麦若葉粉末の袋をパック容器に付設することができ、ビニール袋を通して内部に大麦若葉粉末が入っていることが良好に視認され、大麦若葉粉末の宣伝効果を得ることができ、また、パック容器にこのような大麦若葉粉末が付録として付されているため、パック容器に入った飲料そのものの購買意欲が増進されることとなる。
【００１０】
また、本考案のパック容器において、前記ビニール袋内には、大麦若葉粉末の宣伝用のパンフレット等の文章が同封されているものとすることもできる。
こうすれば、ビニール袋内の宣伝用の文章により、大麦若葉粉末の宣伝効果を向上させることができる。
【００１１】
また、本考案のパック容器は、牛乳を入れた牛乳パックであるものとすることもできる。
こうすれば、パック容器内に充填されている牛乳で、付設されている大麦若葉粉末を溶かし、牛乳と混合された美味しい青汁を容易に飲むことができるものとなる。
【図面の簡単な説明】
【００１２】
【図１】パック容器の外側に、ビニール袋入りの大麦若葉粉末を貼り付けた状態の外観斜視図である。
【図２】大麦若葉粉末を表示紙と共に入れたビニール袋の外観図である。
【図３】ビニール袋と、内部に入れられる二つの密閉袋と、表示紙を、取り出した状態の分解図である。
【考案を実施するための形態】
【００１３】
次に、本考案を実施するための形態を実施例を用いて説明する。
図１は、牛乳を充填したパック容器１の外観斜視図であり、このパック容器１の外側には、ビニール袋２に入れた青汁製品である大麦若葉粉末が付録として付設されている。
【００１４】
透明なビニール袋２内には、図３に示すように、二つの密閉袋３，３と、宣伝用の表示紙４が封入されており、封入した状態は図２に示す。
この図２のように、内部に密閉袋３，３と表示紙４等を入れたビニール袋２は、図１のように、後発的にパック容器１に貼り付けて、パック容器１にビニール袋２を取り付けることができる。
【００１５】
パック容器１は全体が紙製で構成され、四辺の縦壁部１ａの上端に、略三角形状の尖がり部１ｂが一体化され、尖がり部１ｂの上端には、上方へ立ち上げて立上部１ｃが形成されている。
このパック容器１の縦壁部１ａに沿うように、縦長状のビニール袋２がテープ或いは接着剤等でパック容器１に貼着される。
【００１６】
なお、ビニール袋２の上端側のみをパック容器１の尖がり部１ｂ或いは立上部１ｃに貼り付けて、ビニール袋２をパック容器１の縦壁部１ａに沿うように付設することもでき、或いは、ビニール袋２の上端をホッチキス等を用いてパック容器１の立上部１ｃに後発的に固定して、ビニール袋２をパック容器１の縦壁部１ａに沿うように付設することもできる。
【００１７】
パック容器１は、例えば内部に１０００ｍｌの牛乳が充填されている形態のものでは、縦壁部１ａの横幅寸法は７．１５ｃｍ程度であり、縦壁部１ａの上下寸法は１９．６ｃｍ程度であるため、ビニール袋２の横幅寸法は、これよりも若干小さい寸法とし、また、ビニール袋２の上下寸法も１９．６ｃｍよりも小さい寸法に設定しておくことができ、また、内部に５００ｍｌの牛乳が充填されるパック容器１に貼り付けるビニール袋２は、更に上下寸法が短く設定される。
【００１８】
この透明のビニール袋２内に入れられる密閉袋３は、縦長の略扁平状の袋であり、密閉袋３内には大麦若葉粉末が密閉状に封入されている。
密閉袋３内に密閉されている大麦若葉粉末は、牛乳を加えることで瞬時に牛乳に溶けるように平均粒度２０μ程度に微粉化されたものである。
【００１９】
なお、大麦若葉粉末は、大麦の３０ｃｍ〜５０ｃｍに成長した若葉を刈り取り、裁断機によりカットして刻んだ後、高圧蒸気で酵素の働きを失活させた後、乾燥機を用いて乾燥し、その後、粉砕機により粉砕を繰り返して、平均粒度２０μ程度に微粉化されたものであり、この大麦若葉粉末内には多くのアミノ酸が残留されており、特にγ−アミノ酪酸の含有量が高いものとなっている。
【００２０】
また、ビニール袋２内に入れられる表示紙４には、大麦若葉粉末の使用方法や無料サンプルである表示が印刷され、大麦若葉粉末を牛乳と混ぜて飲むと「美味しい青汁」となる旨の文章が表示されている。
ビニール袋２を通してこの表示紙４に表示されている文字等を視認することで、ビニール袋２内に青汁の原料である大麦若葉粉末がサンプルとして入れられていることが容易に分かる。
【００２１】
なお、ビニール袋２内には、その他、大麦若葉粉末の宣伝用のパンフレットや文章を書いた紙などを同封させておくことができ、大麦若葉粉末の製造元とか、販売先等の連絡欄を記載しておけば、大麦若葉粉末による青汁を試飲して、気に入った人は、更に大麦若葉粉末を持続的に購入することができるものとなり、大麦若葉粉末の宣伝効果が良好に得られるものとなる。
【００２２】
また、同時に、パック容器１に「おまけ」としてビニール袋２内の大麦若葉粉末が追加されているため、パック容器１に充填されている牛乳の購買意欲も増進されるものとなる。
なお、更には、ビニール袋２内には、その他、玩具やシール等を入れておけば、更に購買意欲が増進され、宣伝効果も向上するものとなる。
【００２３】
なお、本例では、内部に牛乳を充填したパック容器１に、大麦若葉粉末を入れたビニール袋２を付設する場合を例示しているが、大麦若葉粉末に限らず、イネ科植物の若葉粉末、その他の青汁製品である植物の粉末、或いは、錠剤状や顆粒状等の青汁製品を入れたビニール袋２を付設しても良い。
【００２４】
また、パック容器１は内部に牛乳以外の飲料、例えば野菜や果実の飲料が充填されたものであっても良く、このようなパック容器１の縦壁部１ａに沿って、全体として扁平状のビニール袋２をすっきりとした状態で縦壁部１ａの外側に配置させて、ビニール袋２内に入れられている青汁製品を「おまけ」として提供し、宣伝効果を上げることができるものとなり、また、パック容器１の購買意欲も増進されるものとなる。
【符号の説明】
【００２５】
１  パック容器
１ａ  縦壁部
１ｂ  尖がり部
１ｃ  立上部
２  ビニール袋
３  密閉袋
４  表示紙
【図１】
0003166612.tif 000003
【図２】
0003166612.tif 000004
【図３】
0003166612.tif 000005